(57)【要約】【課題】特定原稿判定用の資源を有効に利用する。【解決手段】取得された画像データが特定画像データを含むか否かの判定を行う場合には、第２処理部７０により処理された画像データが判定部７１に供給される。判定を行わない場合には、その画像データの供給先が第２生成部７２に切り替えられ、第１生成部６９と第２生成部７２とにより出力用画像データが生成される。これにより、第２処理部７０を判定部７１による判定を行わないときにも活用することができるため、資源を有効に利用することができる。【選択図】図５
2007266783.tif 000002
【特許請求の範囲】
【請求項１】
画像データを取得する取得手段と、
前記取得手段により取得した画像データに第１処理を施す第１処理部と、
前記取得手段により取得した画像データに第２処理を施す第２処理部と、
前記第１処理部及び前記第２処理部により処理された画像データに基づき、出力用画像データを生成する生成手段と、
前記第２処理部により処理された画像データに基づき、その画像データが特定画像データを含むか否かを判定する判定手段と、
前記第２処理部により処理された画像データの供給先を前記生成手段と前記判定手段とのいずれかに切り替える切替手段と、
前記生成手段により生成された出力用画像データを出力する出力手段と、
を備えたことを特徴とする画像処理装置。
【請求項２】
前記判定手段により画像データ中に特定画像データが含まれると判定された場合に、前記出力手段に対しその出力を停止させるか、あるいは無効化した出力を行わせる禁止手段を備えることを特徴とする請求項１に記載の画像処理装置。
【請求項３】
前記第２処理部は、前記第２処理として、処理した画像データの供給先に応じて異なる処理を実行することを特徴とする請求項１または請求項２に記載の画像処理装置。
【請求項４】
前記第２処理部は、供給先が前記生成手段であるときに、前記第２処理として、前記第１処理と同一の処理を実行することを特徴とする請求項３に記載の画像処理装置。
【請求項５】
前記第１処理部及び前記第２処理部は、前記第１処理若しくは前記第２処理として、画像データに対し補正処理を行うことを特徴とする請求項１から請求項４のいずれかに記載の画像処理装置。
【請求項６】
前記第１処理部及び前記第２処理部は、それぞれ独立した記憶領域を備えていることを特徴とする請求項１から請求項５のいずれかに記載の画像処理装置。
【請求項７】
前記判定手段による判定の要否を判断する判断手段を備え、
前記切替手段は、前記判断手段により判定が必要と判断されたときに、前記第２処理部により処理された画像データの供給先を前記判定手段とし、前記判断手段により判定が不要と判断されたときに、前記第２処理部により処理された画像データの供給先を前記生成手段とすることを特徴とする請求項１から請求項６のいずれかに記載の画像処理装置。
【請求項８】
前記生成手段は、前記第１処理部により処理された画像データに基づいて出力用画像データを生成する第１生成部と、前記第２処理部により処理された画像データに基づいて出力用画像データを生成する第２生成部とを備え、第１生成部と第２生成部とは互いに独立して処理を実行することを特徴とする請求項１から請求項７のいずれかに記載の画像処理装置。
【請求項９】
第１生成部は、カラーの出力用画像データを生成し、第２生成部は、モノクロの出力用画像データを生成することを特徴とする請求項８に記載の画像処理装置。
【請求項１０】
第２生成部は、第１生成部よりも解像度の低い出力用画像データを生成することを特徴とする請求項８に記載の画像処理装置。
【請求項１１】
画像データを取得する取得手段と、
前記取得手段により取得した画像データに第１処理を施す第１処理部と、
前記取得手段により取得した画像データに第２処理を施す第２処理部と、
前記第２処理部により処理された画像データに基づき、その画像データが特定画像データを含むか否かを判定用記憶手段を用いて判定する判定手段と、
前記第１処理部及び前記第２処理部により処理された画像データに基づき、出力用画像データを生成するとともに、前記第２処理部により処理された画像データに基づき出力用画像データを生成する際には、前記判定用記憶手段を用いて処理を行う生成手段と、
前記第２処理部により処理された画像データの供給先を前記生成手段と前記判定手段とのいずれかに切り替える切替手段と、
前記生成手段により生成された出力用画像データを出力する出力手段と、
を備えたことを特徴とする画像処理装置。
【請求項１２】
原稿画像を読み取ることで画像データを取得する原稿読取部と、
前記原稿読取部により取得した画像データに第１処理を施す第１処理部と、
前記原稿読取部により取得した画像データに第２処理を施す第２処理部と、
前記第１処理部及び前記第２処理部により処理された画像データに基づき、出力用画像データを生成する生成手段と、
前記第２処理部により処理された画像データに基づき、その画像データが特定画像データを含むか否かを判定する判定手段と、
前記第２処理部により処理された画像データの供給先を前記生成手段と前記判定手段とのいずれかに切り替える切替手段と、
前記生成手段により生成された出力用画像データに基づく画像を被記録媒体上に印刷出力する印刷手段と、
を備えたことを特徴とする複写機。
【請求項１３】
原稿画像を読み取ることで画像データを取得する原稿読取部と、
前記原稿読取部により取得した画像データに第１処理を施す第１処理部と、
前記原稿読取部により取得した画像データに第２処理を施す第２処理部と、
前記第１処理部及び前記第２処理部により処理された画像データに基づき、出力用画像データを生成する生成手段と、
前記第２処理部により処理された画像データに基づき、その画像データが特定画像データを含むか否かを判定する判定手段と、
前記第２処理部により処理された画像データの供給先を前記生成手段と前記判定手段とのいずれかに切り替える切替手段と、
前記生成手段により生成された出力用画像データを信号として出力する出力手段と、
を備えたことを特徴とする原稿読取装置。
【請求項１４】
接続された情報処理装置から送信された画像データを受信する通信部を備え、
前記通信部により取得した画像データに第１処理を施す第１処理部と、
前記通信部により取得した画像データに第２処理を施す第２処理部と、
前記第１処理部及び前記第２処理部により処理された画像データに基づき、出力用画像データを生成する生成手段と、
前記第２処理部により処理された画像データに基づき、その画像データが特定画像データを含むか否かを判定する判定手段と、
前記第２処理部により処理された画像データの供給先を前記生成手段と前記判定手段とのいずれかに切り替える切替手段と、
前記生成手段により生成された出力用画像データに基づく画像を被記録媒体上に印刷出力する印刷手段と、
を備えたことを特徴とする印刷装置。
【発明の詳細な説明】
【技術分野】
【０００１】
本発明は、画像処理装置、複写機、原稿読取装置及び印刷装置に関する。
【背景技術】
【０００２】
カラープリンタ等の画像処理装置においては、紙幣や有価証券等の偽造を阻止するための技術が各種提案されている。例えば、特許文献１に記載のものでは、原稿読取部にて原稿画像を読み取ることにより取得された画像データが、画像処理部と特定原稿判別部とに供給される。そして、画像処理部にてその画像データに基づいて出力用画像データを生成した後、印刷部にてその出力用画像データに基づく印刷が行われる。また、特定原稿判定部では、原稿読取部からの画像データが出力を禁止すべき特定画像データを含んでいるか否かを判定し、ここで特定画像データを含んでいると判定された場合には、印刷部による出力を停止させるように構成されている。
【特許文献１】特開平６−６２２４２号公報
【発明の開示】
【発明が解決しようとする課題】
【０００３】
上記構成では、特定原稿の判定を行うための特定原稿判定部は、画像処理部とは独立に設けられているため、判定を行う必要がない場合には稼働されない。そのため、使用状況によっては、特定原稿判定部の稼働率が低くなり、その資源が有効に活用されていなかった。
【０００４】
本発明は上記のような事情に基づいて完成されたものであって、特定原稿判定用の資源を有効に利用することを目的とする。
【課題を解決するための手段】
【０００５】
上記の目的を達成するための手段として、請求項１の発明に係る画像処理装置は、画像データを取得する取得手段と、前記取得手段により取得した画像データに第１処理を施す第１処理部と、前記取得手段により取得した画像データに第２処理を施す第２処理部と、前記第１処理部及び前記第２処理部により処理された画像データに基づき、出力用画像データを生成する生成手段と、前記第２処理部により処理された画像データに基づき、その画像データが特定画像データを含むか否かを判定する判定手段と前記第２処理部により処理された画像データの供給先を前記生成手段と前記判定手段とのいずれかに切り替える切替手段と、前記生成手段により生成された出力用画像データを出力する出力手段と、を備えたところに特徴を有する。
【０００６】
請求項２の発明は、請求項１に記載のものにおいて、前記判定手段により画像データ中に特定画像データが含まれると判定された場合に、前記出力手段に対しその出力を停止させるか、あるいは無効化した出力を行わせる禁止手段を備えるところに特徴を有する。
【０００７】
請求項３の発明は、請求項１または請求項２に記載のものにおいて、前記第２処理部は、前記第２処理として、処理した画像データの供給先に応じて異なる処理を実行するところに特徴を有する。
【０００８】
請求項４の発明は、請求項３に記載のものにおいて、前記第２処理部は、供給先が前記生成手段であるときに、前記第２処理として、前記第１処理と同一の処理を実行するところに特徴を有する。
【０００９】
請求項５の発明は、請求項１から請求項４のいずれかに記載のものにおいて、前記第１処理部及び前記第２処理部は、前記第１処理若しくは前記第２処理として、画像データに対し補正処理を行うところに特徴を有する。
【００１０】
請求項６の発明は、請求項１から請求項５のいずれかに記載のものにおいて、前記第１処理部及び前記第２処理部は、それぞれ独立した記憶領域を備えているところに特徴を有する。
【００１１】
請求項７の発明は、請求項１から請求項６のいずれかに記載のものにおいて、前記判定手段による判定の要否を判断する判断手段を備え、前記切替手段は、前記判断手段により判定が必要と判断されたときに、前記第２処理部により処理された画像データの供給先を前記判定手段とし、前記判断手段により判定が不要と判断されたときに、前記第２処理部により処理された画像データの供給先を前記生成手段とするところに特徴を有する。
【００１２】
請求項８の発明は、請求項１から請求項７のいずれかに記載のものにおいて、前記生成手段は、前記第１処理部により処理された画像データに基づいて出力用画像データを生成する第１生成部と、前記第２処理部により処理された画像データに基づいて出力用画像データを生成する第２生成部とを備え、第１生成部と第２生成部とは互いに独立して処理を実行するところに特徴を有する。
【００１３】
請求項９の発明は、請求項８に記載のものにおいて、第１生成部は、カラーの出力用画像データを生成し、第２生成部は、モノクロの出力用画像データを生成するところに特徴を有する。
【００１４】
請求項１０の発明は、請求項８に記載のものにおいて、第２生成部は、第１生成部よりも解像度の低い出力用画像データを生成するところに特徴を有する。
【００１５】
請求項１１の発明に係る画像処理装置は、画像データを取得する取得手段と、前記取得手段により取得した画像データに第１処理を施す第１処理部と、前記取得手段により取得した画像データに第２処理を施す第２処理部と、前記第２処理部により処理された画像データに基づき、その画像データが特定画像データを含むか否かを判定用記憶手段を用いて判定する判定手段と、前記第１処理部及び前記第２処理部により処理された画像データに基づき、出力用画像データを生成するとともに、前記第２処理部により処理された画像データに基づき出力用画像データを生成する際には、前記判定用記憶手段を用いて処理を行う生成手段と、前記第２処理部により処理された画像データの供給先を前記生成手段と前記判定手段とのいずれかに切り替える切替手段と、前記生成手段により生成された出力用画像データを出力する出力手段と、を備えたところに特徴を有する。
【００１６】
請求項１２の発明に係る複写機は、原稿画像を読み取ることで画像データを取得する原稿読取部と、前記原稿読取部により取得した画像データに第１処理を施す第１処理部と、前記原稿読取部により取得した画像データに第２処理を施す第２処理部と、前記第１処理部及び前記第２処理部により処理された画像データに基づき、出力用画像データを生成する生成手段と、前記第２処理部により処理された画像データに基づき、その画像データが特定画像データを含むか否かを判定する判定手段と前記第２処理部により処理された画像データの供給先を前記生成手段と前記判定手段とのいずれかに切り替える切替手段と、前記生成手段により生成された出力用画像データに基づく画像を被記録媒体上に印刷出力する印刷手段と、を備えたところに特徴を有する。
【００１７】
請求項１３の発明に係る原稿読取装置は、原稿画像を読み取ることで画像データを取得する原稿読取部と、前記原稿読取部により取得した画像データに第１処理を施す第１処理部と、前記原稿読取部により取得した画像データに第２処理を施す第２処理部と、前記第１処理部及び前記第２処理部により処理された画像データに基づき、出力用画像データを生成する生成手段と、前記第２処理部により処理された画像データに基づき、その画像データが特定画像データを含むか否かを判定する判定手段と前記第２処理部により処理された画像データの供給先を前記生成手段と前記判定手段とのいずれかに切り替える切替手段と、前記生成手段により生成された出力用画像データを信号として出力する出力手段と、を備えたところに特徴を有する。
【００１８】
請求項１４の発明に係る印刷装置は、接続された情報処理装置から送信された画像データを受信する通信部を備え、前記通信部により取得した画像データに第１処理を施す第１処理部と、前記通信部により取得した画像データに第２処理を施す第２処理部と、前記第１処理部及び前記第２処理部により処理された画像データに基づき、出力用画像データを生成する生成手段と、前記第２処理部により処理された画像データに基づき、その画像データが特定画像データを含むか否かを判定する判定手段と前記第２処理部により処理された画像データの供給先を前記生成手段と前記判定手段とのいずれかに切り替える切替手段と、前記生成手段により生成された出力用画像データに基づく画像を被記録媒体上に印刷出力する印刷手段と、を備えたところに特徴を有する。
【発明の効果】
【００１９】
＜請求項１の発明＞
第２処理部により処理された画像データの供給先が判定手段及び生成手段のいずれかに切り替えられる。これにより、第２処理部を判定手段による判定を行わないときにも活用することができ、資源を有効に利用することができる。
【００２０】
＜請求項２の発明＞
画像データに特定画像データが含まれると判定された場合に、その出力を停止させるか、あるいは無効化した出力を行わせることで、特定画像が出力され、悪用されることを阻止することができる。
【００２１】
＜請求項３の発明＞
第２処理部では、判定手段に供給される画像データに施す処理と、生成手段に供給される画像データに施す処理とを切り替えて実行するため、それぞれの目的に即した処理を実行することができる。
【００２２】
＜請求項４の発明＞
第２処理部の供給先が生成手段であるときに、第１処理部と第２処理部が同一の処理を実行することで、全体の処理速度を向上することができる。
【００２３】
＜請求項５の発明＞
補正処理は、生成手段及び判定手段に対し画像データを供給する際に両手段に共通に必要な前処理であるため、その補正処理を施した画像データの供給先を生成手段及び判定手段のいずれかに切り替えて使用することで、資源を有効に利用することができる。
【００２４】
＜請求項６の発明＞
第１処理部の記憶領域と第２処理部の記憶領域とが独立して設けられているため、メモリ管理が容易になるとともに、第２処理部の記憶領域が判定手段に画像データを供給しない場合にも使用されるため、資源を有効に利用することができる。
【００２５】
＜請求項７の発明＞
画像データが特定画像データを含んでいいるか否かの判定が不要のときには、第２処理部を出力用画像データの生成のために活用することができるため、効率が良い。
【００２６】
＜請求項８の発明＞
生成手段が、第１処理部からの画像データを処理する第１生成部と、第２処理部からの画像データを処理する第２生成部とを備え、両生成部が互いに独立して処理を実行するため、一つの生成部が、第１処理部からの画像データと第２処理部からの画像データとを合成して処理する場合に比べて処理が簡略になる。
【００２７】
＜請求項９の発明＞
モノクロとカラーの両方の出力用画像データを生成する場合に、第１生成部でカラーの出力用画像データを生成し、第２生成部でモノクロの出力用画像データを生成するように構成することで、第２生成部に必要な処理能力を抑えることができ、それにより第２生成部の構成を簡略にすることができる。
【００２８】
＜請求項１０の発明＞
印刷用とサムネイル用など、解像度の異なる出力用画像データを生成する場合に、第２生成部で解像度の低い出力用画像データを生成するように構成することで、第２生成部に必要な処理能力を抑えることができ、それにより第２生成部の構成を簡略にすることができる。
【００２９】
＜請求項１１の発明＞
判定手段による判定を行わない場合には、生成手段が判定手段の判定用記憶手段を利用して出力用画像データを生成する。これにより、資源を有効に利用することができる。
【００３０】
＜請求項１２の発明＞
原稿読取部と印刷手段を備えた複写機において、請求項１と同様の効果を得ることができる。
【００３１】
＜請求項１３の発明＞
原稿読取部を備えた原稿読取装置（スキャナ）において、請求項１と同様の効果を得ることができる。
【００３２】
＜請求項１４の発明＞
接続された情報処理装置から送信された画像データを受信し、その画像データに基づく画像を印刷する印刷装置（プリンタ）において、請求項１と同様の効果を得ることができる。
【発明を実施するための最良の形態】
【００３３】
＜実施形態１＞
次に本発明の実施形態１を図１から図６を参照して説明する。
【００３４】
１．全体構成
図１は、本発明の画像処理装置、複写機、原稿読取装置及び印刷装置の一例である複合機１の外観を示す斜視図であり、図２は、原稿カバー３５を上げた状態を示す複合機１の斜視図である。この複合機１は、プリンタ機能、スキャナ機能、コピー機能、ファクシミリ機能など各種の機能を備えた多機能周辺装置である。複合機１は、用紙５上に画像を形成する画像形成部１０を収容する本体部２と、本体部２の上方に設けられ原稿画像を読み取る原稿読取部３とを備えている。
【００３５】
（本体部）
図３は、本体部２の概略構成を示す断面図である。なお、以下の説明では、同図における左側を前方とする。
【００３６】
本体部２は、略箱形の本体ケーシング４を備えており、この本体ケーシング４内の底部には、画像を形成するための用紙５（被記録媒体の一例）が複数枚積載される給紙トレイ６が前方へ引き出し可能に設けられている。給紙トレイ６の前端上方には、給紙ローラ７が設けられており、この給紙ローラ７の回転により給紙トレイ６内の最上位に積載された１枚の用紙５が、給紙ローラ７の上方に設けられたレジストローラ８に送り出される。レジストローラ８では、その用紙５を所定のタイミングで、後方のベルトユニット１１上へ送り出す。
【００３７】
本体ケーシング４内における給紙トレイ６の上方には、画像形成部１０（出力手段、印刷手段の一例）が設けられている。画像形成部１０は、ベルトユニット１１と、４つのプロセスユニット１２Ｍ，１２Ｃ，１２Ｙ，１２Ｋと、４つの露光部１３と、定着器１４とから構成されている。
【００３８】
ベルトユニット１１は、前後一対の支持ローラ１６，１７間に搬送ベルト１８を水平に架設してなり、後側の支持ローラ１７が回転駆動されることにより循環移動し、その上面に載せた用紙５を後方へ搬送する。搬送ベルト１８の内側には、後述のプロセスユニット１２が有する各感光ドラム２６と対向配置される４つの転写ローラ１９が前後に並んで設けられている。
【００３９】
露光部１３は、それぞれ画像データの一色分に対応するレーザ光Ｌを光源から出射し、そのレーザ光Ｌをポリゴンモータ２１により回転駆動されるポリゴンミラー等を介して、感光ドラム２６の表面上に高速走査にて照射する。
【００４０】
プロセスユニット１２Ｍ，１２Ｃ，１２Ｙ，１２Ｋは、それぞれマゼンタ（Ｍ）、シアン（Ｃ）、イエロー（Ｙ）、及びブラック（Ｋ）のトナーを収容するトナー収容室２３や、供給ローラ２４、現像ローラ２５、感光ドラム２６、スコロトロン型帯電器２７等を備えている。
【００４１】
トナー収容室２３から放出されたトナーは、供給ローラ２４の回転により現像ローラ２５に供給され、このとき、供給ローラ２４と現像ローラ２５との間で正に摩擦帯電される。感光ドラム２６の表面は、その回転に伴って、まず、スコロトロン型帯電器２７により一様に正帯電された後、露光部１３からのレーザ光Ｌにより露光され、用紙５に形成すべき画像に対応した静電潜像が形成される。次いで、現像ローラ２５の回転により、現像ローラ２５上のトナーが感光ドラム２６の表面に供給され、静電潜像が可視像化される。その後、感光ドラム２６の表面上に担持されたトナー像は、用紙５が感光ドラム２６と転写ローラ１９との間を通過する間に、転写ローラ１９に印加される転写バイアス電圧によって、用紙５に転写される。
【００４２】
定着器１４は、熱源を有する加熱ローラ２８と、用紙５を加熱ローラ２８側へ押圧する加圧ローラ２９とを備えており、用紙５上に転写されたトナー像を紙面に熱定着させる。そして、定着器１４により熱定着された用紙５は、上方へ搬送され、本体ケーシング４の上面に設けられた排出トレイ３０上に排出される。
【００４３】
（原稿読取部）
原稿読取部３（取得手段の一例）は、図１及び図２に示すように、透明なガラス板からなる原稿載置部３３を備えている。この原稿載置部３３には、いわゆるフラットベッド方式で原稿の読み取りを行う際に原稿が載置される。また、原稿載置部３３の上面は、ＡＤＦ３４を備えた原稿カバー３５により開閉可能に覆われている。ＡＤＦ３４は、複数枚の原稿を積載可能な原稿トレイ３６を備えている。この原稿トレイ３６には、原稿が載置されているか否かを検出するためのフォトセンサ等を利用した原稿検出センサ（図示せず）が設けられている。ＡＤＦ３４は、原稿トレイ３６に載置された原稿を一枚ずつ搬送して、その原稿を次に述べるＣＣＤイメージセンサ３７により読み取らせた後に排出する。
【００４４】
原稿載置部３３の下側には、ＣＣＤイメージセンサ３７（図４参照）が設けられている。このＣＣＤイメージセンサ３７は、前後方向に一列に並んで配置されたフォトダイオードを備えており、光源より原稿に強い光を当てたときの反射光を個々のフォトダイオードで受光し、原稿の画素毎に反射光の光強度（明度）を電気信号に変換する。原稿読取部３では、これをＡ／Ｄ変換器（図示せず）にてデジタルデータ化することで、原稿上に形成された画像を画像データとして読み取ることができる。
【００４５】
原稿の読み取りは、原稿載置部３３上に原稿を載置して行う場合と、ＡＤＦ３４を利用する場合とがある。前者の場合、原稿載置部３３の板面に沿って左右方向にＣＣＤイメージセンサ３７が移動され、その際に１ラインずつ、原稿載置部３３上の原稿の読み取りが行われる。また、後者の場合には、ＣＣＤイメージセンサ３７が、原稿載置部３３の左端位置に固定され、原稿がＡＤＦ３４によってＣＣＤイメージセンサ３７による読み取りが可能な位置に搬送されることで、原稿の読み取りが１ラインずつ行われる。
【００４６】
また、原稿読取部３の前端部上面には、各種のボタン等からなる操作部３９が設けられている。この操作部３９により、ユーザが原稿の印刷処理を実行させるための印刷指令など、複合機１を動作させるための各種の指示を入力することができるようになっている。
【００４７】
２．電気的構成
次に、複合機１の電気的構成について説明する。図４は、複合機１の電気的構成を概念的に示すブロック図である。複合機１は、ＣＰＵ５１、ＲＯＭ５２、ＲＡＭ５３、不揮発性メモリ５４、制御部５５、ネットワークインターフェイス５６、ファクシミリ通信部５７、メディア接続部５８等を備えて構成された制御装置５０を備えている。
【００４８】
ＲＯＭ５２には、複合機１を制御するための各種制御プログラムや各種設定、初期値等が記憶されている。ＲＡＭ５３は、各種制御プログラムが読み出される作業領域として、あるいは画像データを一時的に記憶する記憶領域として用いられる。
【００４９】
ＣＰＵ５１は、ＲＯＭ５２から読み出した制御プログラムに従って、その処理結果をＲＡＭ５３又は不揮発性メモリ５４に記憶させながら、制御部５５を介して複合機１の各構成要素を制御する。なお、ＣＰＵ５１は、本発明の切替手段、禁止手段、判断手段としての機能を有する。
【００５０】
ネットワークインターフェイス５６（取得手段、出力手段、通信部の一例）には、外部のコンピュータ６０（情報処理装置の一例）が接続され、そのコンピュータ６０との間でのデータ通信が可能となっている。
【００５１】
ファクシミリ通信部５７（取得手段、出力手段の一例）には、電話回線６１が接続され、電話回線６１を介して外部のファクシミリ装置６２等との間で、画像データを含むファクシミリデータの送受信が可能となっている。
【００５２】
メディア接続部５８（取得手段、出力手段の一例）には、メモリカード等のメディア６３が接続され、メディア６３に対して画像データの書き込みや読み出しが可能となっている。
【００５３】
制御部５５は、ＡＳＩＣ（Application Specific Integrated Circuit）からなり、先に説明した原稿読取部３、画像形成部１０、操作部３９等の各部と電気的に接続されている。制御部５５は、画像処理部６４、画像形成制御部６５などを備えている。画像形成制御部６５は、ＣＰＵ５１の制御により、ＲＡＭ５３に記憶された出力用画像データを読み出し、画像形成部１０を制御することにより用紙５上にその出力用画像データに基づく画像を印刷し出力する。
【００５４】
画像処理部６４は、画像データに関する各種の処理を行う。図５は、この画像処理部６４の概略構成を説明するブロック図である。画像処理部６４は、１チップのＬＳＩから構成されており、出力用画像データの生成を行う生成用回路６６と、画像データが特定画像データを含むか否かの判定を行う判定用回路６７とを備えている。
【００５５】
生成用回路６６は、第１処理部６８と第１生成部６９とから構成されている。第１処理部６８は、画像読取部３から画像データを受け取り、その画像データに対し、黒補正、シェーディング補正、ガンマ補正等の補正処理や、解像度変換処理などの処理（第１処理）を施す。第１生成部６９は、第１処理部６８によって処理された画像データを受け取り、その画像データの色変換を行う色変換処理や、二値化処理、圧縮処理等を行って、出力用画像データを生成する。
【００５６】
判定用回路６７は、第２処理部７０、判定部７１及び第２生成部７２から構成されている。第２処理部７０は、第１処理部６８と同様に、画像読取部３から画像データを受け取り、その画像データに対し、黒補正、シェーディング補正、ガンマ補正等の補正処理や、解像度変換処理等の処理（第２処理）を施す。
【００５７】
判定部７１（判定手段の一例）は、第２処理部７０によって処理された画像データを受け取り、その画像データの画像内容に特定画像（紙幣や有価証券等）が含まれている否かを所定の判定条件に基づいて判定する。この判定条件の判定項目としては、例えば、画像データと予め記憶された参照用データとの合致率が用いられる。即ちこの場合、判定部７１は、画像データと予め記憶された参照用データとの合致率を算出し、その合致率が所定の閾値以上であるときに、その画像データが特定画像データを含んでいると判定し、その閾値未満であるときに、その画像データは特定画像データを含んでいないと判定する。
【００５８】
第２生成部７２は、第２処理部７０によって処理された画像データを受け取り、その画像データの色変換を行う色変換処理や、二値化処理、圧縮処理等を行って、出力用画像データを生成する。第１生成部６９と第２生成部７２とは本発明の生成手段を構成している。
【００５９】
なお、画像処理部６４の動作モードは、大きく分けて、判定部７１による判定を実行する判定モードと、判定部７１による判定を実行しない非判定モードとの２種類があり、ＣＰＵ５１からのモード切替信号に基づき、両動作モードが切り替えられる。上記第２処理部７０によって処理された画像データの供給先は、判定モードの場合には判定部７１に、非判定モードの場合は第２生成部７２に切り替えられ、それに伴い第２処理部７０の処理内容が供給先に合わせて切り替えられる。
【００６０】
生成用回路６６は、選択回路７４に接続されており、この選択回路７４は、生成用メモリ７５に接続され、さらに調停回路７６を介して判定用メモリ７７（判定用記憶手段の一例）に接続されている。選択回路７４は、生成用回路６６が各処理を行う際に使用するメモリを切り替えるものであり、第１処理部６８及び第１生成部６９は、生成用メモリ７５と判定用メモリ７７とのうち選択回路により選択された方のメモリを用いてそれぞれの処理を実行する。
【００６１】
また、判定用回路６７は、前述の調停回路７６を介して判定用メモリ７７に接続されており、第２処理部７０、判定部７１及び第２生成部７２は、判定用メモリ７７を用いてそれぞれの処理を実行する。なお、調停回路７６は、判定用回路６７及び生成用回路６６の判定用メモリ７７に対するアクセスを調整する。
【００６２】
また、生成用回路６６及び判定用回路６７は、調停回路及びメモリコントローラ７８に接続されている。この調停回路及びメモリコントローラ７８は、バスラインを介して既述のＲＡＭ５３に接続されており、判定用回路６７及び生成用回路６６のＲＡＭ５３に対するアクセスを調整するとともに、データの書き込み、読み出しを制御する。第１生成部６９及び第２生成部７２によって生成された出力用画像データは、調停回路及びメモリコントローラ７８を介して、ＲＡＭ５３に記憶される。
【００６３】
３．ＣＰＵの制御による動作
図６は、ＣＰＵ５１によって実行される処理の流れを示すフローチャートである。
（印刷出力時の動作例）
始めに、原稿読取部３によって読み取った原稿画像を用紙５上に印刷出力する場合の処理について説明する。
【００６４】
ユーザが原稿載置部３３または原稿トレイ３６に原稿を載せて、操作部３９より印刷（コピー）を指示する印刷指令を入力すると、ＣＰＵ５１は、その印刷指令を受けて図６に示す印刷処理を開始する。ＣＰＵ５１は、まず画像データに対し特定画像データを含むか否かの判定（以下、特定画像判定という）を行う必要があるか否かを判断する（Ｓ１１）。ここで、特定画像判定を行う必要がない場合の条件としては、例えばユーザによりモノクロコピーが指定された場合や、低解像度での読み取りが指定された場合、画像データを外部の情報処理装置に出力する場合において特定画像判定をその情報処理装置のソフトウエアによって行う場合などが挙げられる。これらの条件に当てはまらない場合には、特定画像判定を行う必要があると判断される。
【００６５】
特定画像判定を行う必要があると判断された場合（Ｓ１１：Ｙｅｓ）には、ＣＰＵ５１は、画像処理部６４に対しモード切替信号を出力して、画像処理部６４の動作モードを判定モードに設定する（Ｓ１２）。
【００６６】
続いて、ＣＰＵ５１は、判定部７１による判定と画像形成部１０による印刷出力とを並行して行う判定・出力並行処理を実行する（Ｓ１３）。この判定・出力並行処理においては、まず原稿読取部３により原稿画像の読み取り動作が行われる。原稿読取部３によって得られた画像データは、第１処理部６８及び第２処理部７０に供給される。
【００６７】
ここで、画像データに対する第１処理部６８の処理内容と第２処理部７０の処理内容とは互いに異なる。即ち、第１処理部６８では、第１生成部６９によって原稿画像に忠実な（再現性の高い）出力用画像データが生成されるように調整されたパラメータを用いて画像データの補正処理を行い、また画像データをユーザにより指定された解像度に変換する解像度変換処理などを行う。これに対し、第２処理部７０では、判定部７１によってより精度の高い判定が行われるように調整されたパラメータを用いて画像データの補正処理を行い、また画像データを判定部７１による判定に適した解像度に変換する解像度変換処理などを行う。
【００６８】
第１生成部６９では、第１処理部６８によって処理された画像データに基づき、その画像データ（ＲＧＢ画像データ）をマゼンタ、シアン、イエロー及びブラックの各色に対応する画像データ（ＭＣＹＫ画像データ）に変換する色変換処理などを行って、出力用画像データを生成する。そして、第１生成部６９により生成された画像データは、順次ＲＡＭ５３に記憶される。なお、第１処理部６８及び第１生成部６９は、生成用メモリ７５を用いて上述の各処理を行う。
【００６９】
また、これに並行して判定部７１では、第２処理部７０によって処理された画像データに基づき、特定画像データが含まれるか否かの判定を行う。ここで、第２処理部７０及び判定部７１は、判定用メモリ７７を用いて各処理を行う。
【００７０】
そして、ＲＡＭ５３に記憶される出力用画像データが所定量になると画像形成部１０による印刷出力が開始される。即ち、画像形成制御部６５によりＲＡＭ５３に記憶された出力用画像データが順次読み込まれ、画像形成部１０によりその画像データに基づく画像が用紙５に印刷され出力される。
【００７１】
この判定・出力並行処理の実行中に、判定部７１により画像データが特定画像データを含むと判定された場合には、ＣＰＵ５１は、その画像データに基づく出力を実行させないための禁止処理を実行する。この禁止処理では、例えば、画像形成部１０の機械的な動作が停止状態とされ、画像データの印刷出力が停止される。あるいは、この禁止処理では、ＲＡＭ５３に記憶された出力用画像データに改変を加える無効化処理が行われ、画像形成部１０によりその無効化処理が施された画像データに基づく画像の印刷出力が実行される。なお、無効化処理が施された画像データに基づく画像とは、例えば、元の画像の上に模様や文字等を重ねたものとしても良く、あるいは、元の画像と全く異なる画像としても良い（塗りつぶし等も含む）。
【００７２】
Ｓ１１にて、ＣＰＵ５１により特定画像判定が必要ないと判断された場合（Ｓ１１：Ｎｏ）には、ＣＰＵ５１は、画像処理部６４に対してモード切替信号を出力して、画像処理部６４の動作モードを非判定モードに設定する（Ｓ１４）。
【００７３】
続いて、ＣＰＵ５１は、判定部７１による判定を行わずに画像データの出力を行う出力処理を実行する（Ｓ１５）。この出力処理においては、まず原稿読取部３により原稿画像の読み取り動作が実行される。原稿読取部３によって得られた画像データは、第１処理部６８及び第２処理部７０に供給される。
【００７４】
ここで、第１処理部６８と第２処理部７０とは、原稿読取部３から入力される画像データを一部分ずつ分担して同一の処理を行う。即ち、例えば、第１処理部６８と第２処理部７０とがそれぞれ、供給された画像データから１ライン分の画像データを１ラインおきに抽出し、それらの画像データについて処理を行うとともに、第１処理部６８と第２処理部７０とが互いに異なるラインの画像データについて処理を行うようにする。
【００７５】
そして、第１生成部６９では、第１処理部６８によって処理された画像データに色変換処理等を施して出力用画像データを生成し、第２生成部７２では、第２処理部７０によって処理された画像データに色変換処理等を施して出力用画像データを生成する。これらの出力用画像データは、ＲＡＭ５３に記憶される際に、互いに合成されて一つの出力用画像データとされる。
【００７６】
なお、第１処理部６８及び第１生成部６９は、生成用メモリ７５を使用して上述の各処理を行い、第２処理部７０及び第２生成部７２は、判定用メモリ７７を使用して上述の各処理を行う。このように、判定用メモリ７７を出力用画像データを生成するために利用するため、判定部７１による判定を行う場合に比べて、出力用画像データの生成を短時間で行うことができる。
【００７７】
そして、ＲＡＭ５３に記憶される出力用画像データが所定量になると、その出力用画像データに基づいて画像形成部１０により用紙５への印刷出力が開始される。
【００７８】
（メディア出力時の動作例）
次に、原稿読取部３より取得した画像データを、メディア接続部５８を介して接続されたメディア６３に出力する場合の動作例について説明する。
【００７９】
ユーザがメディア接続部５８にメディア６３を接続し、画像読取部３によって取得した画像データをメディア６３に記録させる旨の指令を操作部３９から入力すると、ＣＰＵ５１は、以下に示すようにメディア出力処理を開始する。このメディア出力処理の全体的な流れは、前述のもの（図６参照）と同様である。
【００８０】
即ち、ＣＰＵ５１は、まず特定画像判定を行う必要があるか否かを判断し（Ｓ１１）、特定画像判定を行う必要があると判断した場合（Ｓ１１：Ｙｅｓ）には、画像処理部６４の動作モードを判定モードに設定した後（Ｓ１２）、判定部７１による判定とメディア６３への出力とを並行して行う判定・出力並行処理を実行する（Ｓ１３）。この判定・出力並行処理においては、まず原稿読取部３により原稿画像の読み取り動作が行われ、それによって得られた画像データが第１処理部６８及び第２処理部７０に供給される。
【００８１】
第１処理部６８では、画像データに対する補正処理や、画像データを指定された解像度に変換する解像度変換処理などを行う。続いて、第１生成部６９では、その画像データに所定の処理を施して出力用画像データを生成し、その出力用画像データをＲＡＭ５３に出力する。次に、第１処理部６８では、サムネイル用の画像データを生成するために、先に生成された出力用画像データをＲＡＭ５３から読み出して、低解像度の画像データに変換する処理を行う。第１生成部６９では、この低解像度の画像データに所定の処理を施して、サムネイル用の低解像度の出力用画像データを生成する。
【００８２】
これらの通常の解像度の出力用画像データと、サムネイル用の低解像度の出力用画像データは、ともにＲＡＭ５３に記憶され、メディア接続部５８を介してメディア６３に書き込まれる。
【００８３】
これに並行して、第２処理部７０では、画像データの補正処理や、画像データを判定部７１による判定に適した解像度に変換する解像度変換処理などを行う。また、判定部７１では、第２処理部７０によって処理された画像データに基づき、特定画像判定を行う。なお、この判定・出力並行処理の実行中に、判定部７１により画像データが特定画像データを含むと判定された場合には、ＣＰＵ５１は、その画像データに基づく出力を実行させないための禁止処理を実行する。
【００８４】
一方、Ｓ１１にて、ＣＰＵ５１により特定画像判定が必要ないと判断された場合（Ｓ１１：Ｎｏ）には、ＣＰＵ５１は、画像処理部６４の動作モードを非判定モードに設定した後（Ｓ１４）、判定部７１による判定を行わずに画像データの出力を行う出力処理を実行する（Ｓ１５）。
【００８５】
この出力処理においては、まず原稿読取部３により原稿画像の読み取り動作が実行され、それによって得られた画像データは、第１処理部６８及び第２処理部７０に供給される。ここで、生成用回路６６では、通常の解像度の出力用画像データのみを生成し、判定用回路６７がサムネイル用の低解像度の出力用画像データを生成する。
【００８６】
即ち、第１処理部６８では、画像データに対する補正処理や、画像データを指定された解像度（通常の解像度）に変換する解像度変換処理などを行い、第１生成部６９では、その画像データに所定の処理を施して出力用画像データを生成する。また、第２処理部７０では、補正処理に加えて画像データをサムネイル用の低解像度に変換する処理を行い、第２生成部７２では、その画像データに所定の処理を施して出力用画像データを生成する。
【００８７】
第１生成部６９により生成された通常の出力用画像データと、第２生成部７２により生成されたサムネイル用の低解像度の出力用画像データとは、判定モード時と同様にＲＡＭ５３に記憶され、その後、メディア接続部５８を介してメディア６３に出力され記憶される。
【００８８】
このように、判定用回路６７をサムネイル用の出力用画像データの作成に利用することで、処理を短時間で行うことができる。また、この場合、判定用回路６７の負荷が少ないため、例えば、生成用回路６６が、生成用メモリ７５に加えて、判定用メモリ７７の一部を使用しつつ、各処理を実行するように構成しても良い。
【００８９】
（ファクシミリ出力時の動作例）
次に、画像データをファクシミリ通信部５７を介して外部のファクシミリ装置に送信する場合の動作例について説明する。
【００９０】
ユーザが操作部３９より、画像読取部３によって取得した画像データをファクシミリ送信する旨の指令を操作部３９から入力すると、ＣＰＵ５１は、以下に示すようにファクシミリ出力処理を開始する。このファクシミリ出力処理の全体的な流れは、前述のもの（図６参照）と同様である。
【００９１】
即ち、ＣＰＵ５１は、まず特定画像判定を行う必要があるか否かを判断し（Ｓ１１）、特定画像判定を行う必要があると判断した場合（Ｓ１１：Ｙｅｓ）には、画像処理部６４の動作モードを判定モードに設定した後（Ｓ１２）、判定部７１による判定とファクシミリ送信とを並行して行う判定・出力並行処理を実行する（Ｓ１３）。この判定・出力並行処理においては、まず原稿読取部３により原稿画像の読み取り動作が行われ、それによって得られた画像データが第１処理部６８及び第２処理部７０に供給される。
【００９２】
第１処理部６８では、画像データの補正処理や、画像データを指定された解像度に変換する解像度変換処理などを行う。続いて、第１生成部６９では、その画像データをＰＤＬデータに変換する変換処理等を行い、出力用画像データを生成する。さらに、第１生成部６９では、生成用メモリ７５に記憶した画像データを読み出して、その画像データ（ＲＧＢ画像データ）をモノクロの画像データに変換する色変換処理や、その画像データをＰＤＬデータに変換する変換処理等を行い、出力用画像データを生成する。
【００９３】
これに並行して、第２処理部７０では、画像データの補正処理や、画像データを判定部７１による判定に適した解像度に変換する解像度変換処理などを行う。また、判定部７１では、第２処理部７０によって処理された画像データに基づき、特定画像判定を行う。この判定・出力並行処理の実行中に、判定部７１により画像データが特定画像データを含むと判定された場合には、ＣＰＵ５１は、その画像データに基づく出力を実行させないための禁止処理を実行する。
【００９４】
一方、Ｓ１１にて、ＣＰＵ５１により特定画像判定が必要ないと判断された場合（Ｓ１１：Ｎｏ）には、ＣＰＵ５１は、画像処理部６４の動作モードを非判定モードに設定した後（Ｓ１４）、判定部７１による判定を行わずに画像データの出力を行う出力処理を実行する（Ｓ１５）。
【００９５】
この出力処理においては、まず原稿読取部３により原稿画像の読み取り動作が実行され、それによって得られた画像データは、第１処理部６８及び第２処理部７０に供給される。ここで、生成用回路６６では、カラーの出力用画像データのみを生成し、判定用回路６７がモノクロの出力用画像データを生成する。
【００９６】
即ち、第１処理部６８では、画像データに対する補正処理や、画像データを指定された解像度に変換する解像度変換処理などを行い、第１生成部６９では、その画像データをＰＤＬデータに変換する変換処理等を行い、出力用画像データを生成する。また、第２処理部７０では、画像データに対する補正処理や、画像データを指定された解像度に変換する解像度変換処理などを行う。そして、第２生成部７２では、第２処理部７０によって処理された画像データ（ＲＧＢ画像データ）をモノクロの画像データに変換する色変換処理や、その画像データをＰＤＬデータに変換する変換処理等を行うことで、出力用画像データを生成する。
【００９７】
このようにして生成されたカラーの出力用画像データと、モノクロの出力用画像データとは、ともにＲＡＭ５３に記憶される。そして、相手側のファクシミリ装置との通信により、相手側のファクシミリ装置６２がカラーファクシミリに対応した機種であった場合には、カラーの出力用画像データが送信され、カラーファクシミリに対応していない機種であった場合には、モノクロの出力用画像データが送信される。
【００９８】
このように、判定用回路６７をモノクロの出力用画像データの作成に利用することで、処理を短時間で行うことができる。また、この場合も、判定用回路６７の負荷が少ないため、例えば、生成用回路６６が、生成用メモリ７５に加えて、判定用メモリ７７の一部を使用しつつ、各処理を実行するように構成しても良い。
【００９９】
４．本実施形態の効果
以上のように本実施形態によれば、第２処理部７０により処理された画像データの供給先が判定部７１及び第２生成部７２のいずれかに切り替えられる。これにより、第２処理部７０を判定部７１による判定を行わないときにも活用することができ、資源を有効に利用することができる。
【０１００】
また、画像データに特定画像データが含まれると判定された場合に、その出力を停止させるか、あるいは無効化した出力を行わせることで、特定画像が出力され、悪用されることを阻止することができる。
【０１０１】
また、第２処理部７０では、判定部７１に供給される画像データに施す処理と、第２生成部７２に供給される画像データに施す処理とを切り替えて実行するため、それぞれの目的に即した処理を実行することができる。
【０１０２】
また、第２処理部７０の供給先が生成部７２であるときに、第１処理部６８と第２処理部７０が同一の処理を実行することで、全体の処理速度を向上することができる。
【０１０３】
また、補正処理は、第２生成部７２及び判定部７１に対し画像データを供給する際に両部７１，７２に共通に必要な前処理であるため、その補正処理を施した画像データの供給先を第２生成部７２及び判定部７１のいずれかに切り替えて使用することで、資源を有効に利用することができる。
【０１０４】
また、第１処理部６８が使用する記憶領域（判定用メモリ７７）と第２処理部７０が使用する記憶領域（生成用メモリ７５）とが独立して設けられているため、メモリ管理が容易になるとともに、第２処理部７０の記憶領域が判定部７１に画像データを供給しない場合にも使用されるため、資源を有効に利用することができる。
【０１０５】
また、画像データが特定画像データを含んでいるか否かの判定が不要のときには、第２処理部７０を出力用画像データの生成のために活用することができるため、効率が良い。
【０１０６】
また、生成手段が、第１処理部６８からの画像データを処理する第１生成部６９と、第２処理部７０からの画像データを処理する第２生成部７２とを備え、両生成部６９，７０が互いに独立して処理を実行するため、一つの生成部が、第１処理部６８からの画像データと第２処理部７０からの画像データとを合成して処理する場合に比べて処理が簡略になる。
【０１０７】
また、モノクロとカラーの両方の出力用画像データを生成する場合に、第１生成部６９でカラーの出力用画像データを生成し、第２生成部７２でモノクロの出力用画像データを生成するように構成することで、第２生成部７２に必要な処理能力を抑えることができ、それにより第２生成部７２の構成を簡略にすることができる。
【０１０８】
また、印刷用とサムネイル用など、解像度の異なる出力用画像データを生成する場合に、第２生成部７２で解像度の低い出力用画像データを生成するように構成することで、第２生成部７２に必要な処理能力を抑えることができ、それにより第２生成部７２の構成を簡略にすることができる。
【０１０９】
＜他の実施形態＞
本発明は上記記述及び図面によって説明した実施形態に限定されるものではなく、例えば次のような実施形態も本発明の技術的範囲に含まれる。
（１）本発明は、印刷手段を備えておらず、原稿画像を読み取ることで取得した画像データを電気信号として外部の情報読取装置等に出力する画像読取装置（スキャナ）にも適用することができる。
【０１１０】
（２）本発明は、画像読取部を備えておらず、外部の情報読取装置から受信した画像データを印刷出力する印刷装置（プリンタ）にも適用することができる。この場合、第１処理部及び第２処理部では、画像データを所定の形式データに変換したり、画像データの解像度を変換する処理等を行うように構成すれば良い。
【０１１１】
（３）上記実施形態では、第１生成部と第２生成部とを独立した回路構成としたが、これらを一つの生成部として、第１処理部からの画像データと第２処理部からの画像データとを合成して処理できるように構成しても良い。
【図面の簡単な説明】
【０１１２】
【図１】実施形態１における複合機の外観を示す斜視図
【図２】原稿カバーを上げた状態を示す複合機の斜視図
【図３】本体部の概略構成を示す断面図
【図４】複合機の電気的構成を概念的に示すブロック図
【図５】画像処理部の構成を概念的に示すブロック図
【図６】処理の流れを示すフローチャート
【符号の説明】
【０１１３】
１…複合機（画像処理装置、複写機、原稿読取装置、印刷装置）
３…画像読取部（取得手段）
５…用紙（被記録媒体）
１０…画像形成部（出力手段、印刷手段）
５１…ＣＰＵ（切替手段、禁止手段、判断手段）
５６…ネットワークインターフェイス（取得手段、出力手段、通信部）
５７…ファクシミリ通信部（取得手段、出力手段）
５８…メディア接続部（取得手段、出力手段）
６０…コンピュータ（情報処理装置）
６８…第１処理部
６９…第１生成部（生成手段）
７０…第２処理部
７１…判定部（判定手段）
７２…第２生成部（生成手段）
７５…生成用メモリ（記憶領域）
７７…判定用メモリ（記憶領域、判定用記憶手段）
【図１】
2007266783.tif 000003
【図２】
2007266783.tif 000004
【図３】
2007266783.tif 000005
【図４】
2007266783.tif 000006
【図５】
2007266783.tif 000007
【図６】
2007266783.tif 000008